(57)【要約】【課題】複数列のＩＣタグとの通信処理を高速に行い、発行速度を向上させることができるＩＣタグ発行装置を提供する。【解決手段】ＩＣタグ連続体１として整列している複数列のＩＣタグ１０に対して列毎にそれぞれ対向して配置された複数の列アンテナ部３１ａ〜３１ｊを備え、複数の列アンテナ部３１ａ〜３１ｊを用いてＩＣタグ連続体のそれぞれのＩＣタグ１０とそれぞれ電磁誘導方式で通信を行うＩＣタグ発行装置であって、複数の列アンテナ部３１ａ〜３１ｊは、列方向又はＩＣタグ連続体１の搬送方向に沿う方向に配置され、それぞれの列アンテナ部３１ａ〜３１ｊは、ＩＣタグ連続体１のＩＣタグ１０と対向する面以外が（シールド板３１０及びアンテナケースによって）電磁的にシールドされている。【選択図】図８
2018136955.tif 000002
【特許請求の範囲】
【請求項１】
ＩＣタグ連続体として整列している複数列のＩＣタグに対して列毎にそれぞれ対向して配置された複数の列アンテナ部を備え、複数の前記列アンテナ部を用いて前記ＩＣタグ連続体のそれぞれの前記ＩＣタグとそれぞれ電磁誘導方式で通信を行うＩＣタグ発行装置であって、
複数の前記列アンテナ部は、列方向又は前記ＩＣタグ連続体の搬送方向に沿う方向に配置され、
それぞれの前記列アンテナ部は、前記ＩＣタグ連続体の前記ＩＣタグと対向する面以外が電磁的にシールドされ、
それぞれの前記列アンテナ部のアンテナ基板は、前記ＩＣタグ連続体の前記ＩＣタグに近接対向して配置されたシールド板の開口部に嵌まり込むように固定されることを特徴とするＩＣタグ発行装置。
【請求項２】
上流側もしくは下流側で隣り合う前記列アンテナ部の間には、前記ＩＣタグ連続体の前記ＩＣタグに近接対向して配置された導電性材料からなる前記シールド板によって、干渉防止領域が形成されていることを特徴とする請求項１記載のＩＣタグ発行装置。
【請求項３】
前記列アンテナ部のアンテナ素子を前記ＩＣタグとの対向面とは反対面側から覆うフェライトシートがシールド内に設けられていることを特徴とする請求項１又は２記載のＩＣタグ発行装置。
【請求項４】
上流側と下流側とで斜め方向に隣り合う前記列アンテナ部の間では、周波数が異なるチャンネルを用いて通信が行われることを特徴とする請求項１乃至３のいずれかに記載のＩＣタグ発行装置。
【請求項５】
前記ＩＣタグ連続体を搬送ベルトに吸引しながら搬送する搬送部を備え、
複数の前記列アンテナ部は、前記搬送部によって搬送される前記ＩＣタグ連続体の前記ＩＣタグと対向して配置されていることを特徴とする請求項１乃至４のいずれかに記載のＩＣタグ発行装置。
【請求項６】
前記搬送部の前記搬送ベルトは、ウレタンベルトで構成され、
前記搬送ベルトを支持する支持板は、ＰＯＭ（ポリアセタール樹脂）プレートで構成されていることを特徴とする請求項５記載のＩＣタグ発行装置。
【請求項７】
前記列アンテナ部の前記ＩＣタグとの対向面には、非粘着コーティングが施されていることを特徴とする請求項１乃至６のいずれかに記載のＩＣタグ発行装置。
【請求項８】
複数の前記列アンテナ部は、列方向又は前記ＩＣタグ連続体の搬送方向に沿う方向に千鳥状にシールド板に配置されることを特徴とする請求項２に記載のＩＣタグ発行装置。
【請求項９】
ＩＣタグ連続体として整列している複数列のＩＣタグに対して列毎にそれぞれ対向して配置され、前記ＩＣタグとそれぞれ電磁誘導方式で通信を行う複数の列アンテナ部を備えたシールド板であって、
複数の前記列アンテナ部は、列方向又は前記ＩＣタグ連続体の搬送方向に沿う方向に千鳥状に配置され、
前記ＩＣタグ連続体の前記ＩＣタグと対向する面以外が電磁的にシールドされ、
前記ＩＣ連続体の前記ＩＣタグに近接対向して配置され、それぞれの前記列アンテナ部に対応した開口部が形成され、それぞれの前記列アンテナ部のアンテナ基板が、前記開口部に嵌まり込むように固定されることを特徴とするシールド板。
【発明の詳細な説明】
【技術分野】
【０００１】
本発明は、ＩＣタグが複数列に整列しているＩＣタグ連続体のそれぞれのＩＣタグに非接触で所望の識別データをそれぞれ書き込んで発行するＩＣタグ発行装置およびシールド板に関する。
【背景技術】
【０００２】
近年、ＩＣチップとアンテナとを備え、非接触で情報の電気的な書き込み／読み込みを可能とするＩＣタグを用いるＲＦＩＤ（radio frequency identification）によって商品の在庫管理や販売管理等を容易にする技術が提案されている。一般的にＩＣチップとアンテナとはフィルム上に形成されたインレイ（インレット）としてラベルや値札用タグ等の用紙に内包され、ＩＣタグが構成される。なお、ＩＣチップとアンテナとを備えたインレイ自体をＩＣタグや電子タグ、無線タグ、ＲＦＩＤタグと呼称することもあるが、本明細書では、ＩＣチップとアンテナとを備えた商品タグ（値札用タグ）やラベル等の用紙をＩＣタグと称する。
【０００３】
ＩＣタグは、一般的にＩＣタグが連続して連なったＩＣタグ連続体として提供されることが多く、ＩＣタグ連続体に非接触で製品番号等の所望のデータを書き込むと共に、それぞれの表面に製品や生産者のデータやそれらをコード化したバーコード等の印字を施して発行するＩＣタグ発行装置が提案されている（例えば、特許文献１参照）。
【先行技術文献】
【特許文献】
【０００４】
【特許文献１】特開２００６−３３８１７９号公報
【発明の概要】
【発明が解決しようとする課題】
【０００５】
近年は、ＩＣタグの使用量が増加しており、ＩＣタグを高速で大量に発行するニーズが高まっている。ＩＣタグの発行速度を向上させるためには、ＩＣタグが１列に整列しているＩＣタグ連続体では限界があり、ＩＣタグが複数列に整列しているＩＣタグ連続体を用いて発行を行うことが望まれている。しかしながら、ＩＣタグが複数列に整列しているＩＣタグ連続体を用いた場合には、ＩＣタグとの通信の際にも他の列のＩＣタグとの干渉が問題となるため、簡単には高速化することができないという問題点があった。
【０００６】
本発明の目的は、上記問題点に鑑みて従来技術の上記問題を解決し、複数列のＩＣタグとの通信処理を高速に行い、発行速度を向上させることができるＩＣタグ発行装置およびシールド板を提供することにある。
【課題を解決するための手段】
【０００７】
本発明は、以下のような解決手段により、前記課題を解決する。
第一の発明のＩＣタグ発行装置は、ＩＣタグ連続体として整列している複数列のＩＣタグに対して列毎にそれぞれ対向して配置された複数の列アンテナ部を備え、複数の前記列アンテナ部を用いて前記ＩＣタグ連続体のそれぞれの前記ＩＣタグとそれぞれ電磁誘導方式で通信を行うＩＣタグ発行装置であって、複数の前記列アンテナ部は、列方向又は前記ＩＣタグ連続体の搬送方向に沿う方向に配置され、それぞれの前記列アンテナ部は、前記ＩＣタグ連続体の前記ＩＣタグと対向する面以外が電磁的にシールドされ、それぞれの前記列アンテナ部のアンテナ基板は、前記ＩＣタグ連続体の前記ＩＣタグに近接対向して配置されたシール板の開口部に嵌まり込むように固定されることを特徴とする。
さらに、本発明のＩＣタグ発行装置において、上流側もしくは下流側で隣り合う前記列アンテナ部の間には、前記ＩＣタグ連続体の前記ＩＣタグに近接対向して配置された導電性材料からなるシールド板によって、干渉防止領域が形成されていても良い。
さらに、本発明のＩＣタグ発行装置において、前記列アンテナ部のアンテナ素子を前記ＩＣタグとの対向面とは反対面側から覆うフェライトシートがシールド内に設けられていても良い。
さらに、本発明のＩＣタグ発行装置において、上流側と下流側とで斜め方向に隣り合う前記列アンテナ部の間では、周波数が異なるチャンネルを用いて通信を行っても良い。
さらに、本発明のＩＣタグ発行装置において、前記ＩＣタグ連続体を搬送ベルトに吸引しながら搬送する搬送部を備え、複数の前記列アンテナ部は、前記搬送部によって搬送される前記ＩＣタグ連続体の前記ＩＣタグと対向して配置されていても良い。
さらに、本発明のＩＣタグ発行装置において、前記搬送部の前記搬送ベルトは、ウレタンベルトで構成され、前記搬送ベルトを支持する支持板は、ＰＯＭ（ポリアセタール樹脂）プレートで構成されていても良い。
さらに、本発明のＩＣタグ発行装置において、前記列アンテナ部の前記ＩＣタグとの対向面には、非粘着コーティングが施されていても良い。
さらに、本発明のＩＣタグ発行装置において、複数の前記列アンテナ部は、列方向又は前記ＩＣタグ連続体の搬送方向に沿う方向に千鳥状にシールド板に配置されても良い。
また第二の発明のシールド板は、ＩＣタグ連続体として整列している複数列のＩＣタグに対して列毎にそれぞれ対向して配置され、前記ＩＣタグとそれぞれ電磁誘導方式で通信を行う複数の列アンテナ部を備えたシールド板であって、複数の前記列アンテナ部は、列方向又は前記ＩＣタグ連続体の搬送方向に沿う方向に千鳥状に配置され、前記ＩＣタグ連続体の前記ＩＣタグと対向する面以外が電磁的にシールドされ、前記ＩＣ連続体の前記ＩＣタグに近接対向して配置され、それぞれの前記列アンテナ部に対応した開口部が形成され、それぞれの前記列アンテナ部のアンテナ基板が、前記開口部に嵌まり込むように固定されることを特徴とする。
【発明の効果】
【０００８】
本発明によれば、複数列のＩＣタグとの通信処理を高速に行い、発行速度を向上させることができるという効果を奏する。
【図面の簡単な説明】
【０００９】
【図１】本発明に係るＩＣタグ発行装置の実施の形態の構成を示す概略側面図である。
【図２】図１に示すＩＣタグ連続体の一部分の構成を示す上面図である。
【図３】図２に示すＩＣタグの構成を示す拡大正面図及び断面図である。
【図４】図３に示すインレイの構成を示す正面図である。
【図５】図１に示す前処理装置の構成を示す概略側面図である。
【図６】図１に示す前処理装置の構成を示す概略上面図である。
【図７】図１に示す前処理装置における支持板の構成を示す概略上面図である。
【図８】図５に示す第１アンテナ部の構成を示す斜視図である。
【図９】図８に示す列アンテナ部の構成を示す分解斜視図である。
【図１０】図８に示す列アンテナ部の構成を示す断面図である。
【図１１】図１に示す印字装置の構成を示す概略側面図である。
【図１２】図１に示す後処理装置の構成を示す概略側面図である。
【図１３】本発明に係るＩＣタグ発行装置の実施の形態の動作を制御する制御部の構成を示すブロック図である。
【図１４】図１３に示す情報記憶部に記憶される製品情報例を示す図である。
【図１５】図１３に示す情報記憶部に記憶される頁情報例及び再発行情報例を示す図である。
【図１６】本発明に係るＩＣタグ発行装置の実施の形態のタグＩＤ読み取り動作を説明するためのフローチャートである。
【図１７】本発明に係るＩＣタグ発行装置の実施の形態のタグＩＤ読み取り動作を説明するための説明図である。
【図１８】本発明に係るＩＣタグ発行装置の実施の形態の識別データ書き込み動作を説明するためのフローチャートである。
【発明を実施するための形態】
【００１０】
本実施の形態のＩＣタグ発行装置は、ＩＣタグ連続体１に対し、それぞれのＩＣチップに非接触で所望のデータをそれぞれ書き込むと共に、それぞれの表面に製品や生産者の情報やそれらをコード化したバーコード等の印字を施して発行する。ＩＣタグ発行装置は、図１を参照すると、発行前のＩＣタグ連続体１が載置される載置台２と、前処理装置３と、印字装置４と、後処理装置５と、発行されたＩＣタグ連続体１が載置される載置台２とを備えている。
【００１１】
ＩＣタグ連続体１は、図２を参照すると、複数列のＩＣタグ１０が整列している頁が交互に畳まれた連続用紙（ファンフォールド紙）である。本実施の形態では、第１列から第１０列の１０枚＊２行の２０枚のＩＣタグ１０が１頁に配置されている。ＩＣタグ連続体１の両側にはスプロケットホール１１が等間隔に形成されている。また、スプロケットホール１１が形成されている領域における搬送方向の先頭付近には、頁の開始を示す検出マーク１２が印刷されている。なお、ＩＣタグ連続体１は、ロール状に巻回されたロール紙であっても良く、この場合には、ＩＣタグ１０の開始を示す検出マーク１２を１行毎に印刷すると良い。
【００１２】
図３（ａ）を参照すると、ＩＣタグ１０には、インレイ１３が内包されている。なお、図３（ａ）は、図２に矢印Ａで示す領域の拡大正面図であり、図３（ｂ）は、図３（ａ）に示すＸ−Ｘ断面図である。本実施の形態のＩＣタグ１０は、商品タグであり、図３（ｂ）に示すように、インレイ１３は、表紙１０ａと、裏紙１０ｂとの間に介装されて内包されている。
【００１３】
インレイ１３は、図３（ｂ）及び図４を参照すると、基材１３ａと、アンテナ１４と、ＩＣチップ１５とで構成されている。インレイ１３は、例えば、基材１３ａを合成樹脂フィルムで構成し、基材１３ａ上に導電体から成る線状のアンテナ１４を形成した後、このアンテナ１４上に導電性接着剤を使用してＩＣチップ１５を接着して構成される。アンテナ１４は、搬送方向を長手方向とする細長い形状を有しており、長手方向中央部にループ状アンテナ素子１４ａが設けられている。そして、ループ状アンテナ素子１４ａに接続され、長手方向の前後両端に向かって直線状に延びるダイポールアンテナ素子１４ｂが設けられている。さらにダイポールアンテナ素子１４ｂに接続され、搬送方向と直交する幅方向にジグザグに折り返してなるメアンダラインアンテナ素子１４ｃがループ状アンテナ素子１４ａの長手方向の前後にそれぞれ設けられている。
【００１４】
ＩＣチップ１５には、ＥＥＰＲＯＭ等の電源が供給されなくても記憶が保持される不揮発性メモリが内蔵されている。ＩＣチップ１５の不揮発性メモリは、インレイ１３毎の固有番号（以下、タグＩＤと称する）が予め記憶されているタグＩＤ記憶領域と、ユーザによって書き換え可能なユーザ記憶領域とを備えている。ＩＣチップ１５は、リーダライタのアンテナコイルとアンテナ１４のループ状アンテナ素子１４ａとを磁束結合させて、エネルギー及び信号を伝達する電磁誘導方式による通信機能と、リーダライタのアンテナとアンテナ１４のダイポールアンテナ素子１４ｂ及びメアンダラインアンテナ素子１４ｃとで電波をやりとりし、エネルギー及び信号を伝達する電波方式による通信機能とを備えている。
【００１５】
載置台２は、ＩＣタグ連続体１が載置される載置板２１を有している。載置板２１は、前処理装置３及び後処理装置５に対する載置面の位置や、載置面の角度をＩＣタグ連続体１のサイズや紙質に応じて変更可能に構成されている。これにより、載置台２に載置されたＩＣタグ連続体１を前処理装置３に対してスムーズに供給することができると共に、後処理装置５から発行されたＩＣタグ連続体１を載置台２に整然と載置させることができる。
【００１６】
前処理装置３は、ＩＣタグ連続体１のそれぞれのＩＣタグ１０（ＩＣチップ１５のユーザ記憶領域）に対して製品番号等のユーザ所望のデータを書き込むエンコード装置である。前処理装置３は、図１及び図５を参照すると、第１アンテナ部３１と、第２アンテナ部３２と、第３アンテナ部３３と、第１トラクタフィーダ部６１と、第１搬送部６２と、第２搬送部６３と、第１負圧吸引部７１と、第２負圧吸引部７２と、第３負圧吸引部７３と、第４負圧吸引部７４と、第１センサ８１と、第２センサ８２と、第３センサ８３と、第１ロータリエンコーダ部９１を備えている。
【００１７】
第１トラクタフィーダ部６１は、発行前のＩＣタグ連続体１を受け入れる最上流に配置され、図５乃至図７を参照すると、駆動ローラ６１ａと従動ローラ６１ｂとの間に掛け渡されて回動する無端ベルト６１ｃと、駆動ローラ６１ａを介して無端ベルト６１ｃを回動させる第１トラクタフィーダ駆動モータ６１ｄとを備え、無端ベルト６１ｃには、ＩＣタグ連続体１のスプロケットホール１１と係合する送りピン６１ｅが形成されている。これにより、第１トラクタフィーダ部６１は、無端ベルト６１ｃを回動させることにより、送りピン６１ｅが順次、スプロケットホール１１に係脱可能に係合してＩＣタグ連続体１を下流側の第１搬送部６２に向けて牽引搬送する。また、第１トラクタフィーダ部６１の駆動ローラ６１ａには、駆動ローラ６１ａの回転を検出する第１ロータリエンコーダ部９１が備えられている。第１トラクタフィーダ部６１の近傍には、ＩＣタグ連続体１の検出マーク１２を検出する第１センサ８１が設けられている。これにより、第１センサ８１及び第１ロータリエンコーダ部９１の検出結果によって、前処理装置３におけるＩＣタグ連続体１（ＩＣタグ１０）の位置が検出可能に構成されている。
【００１８】
第１搬送部６２は、第１トラクタフィーダ部６１の下流側に配置されており、駆動ローラ６２ａと従動ローラ６２ｂとの間に掛け渡されて回動する無端の搬送ベルト６２ｃと、駆動ローラ６２ａを介して搬送ベルト６２ｃを回動させる第１搬送ベルト駆動モータ６２ｄとを備えている。第１搬送部６２は、搬送ベルト６２ｃを回動させることにより、搬送ベルト６２ｃの上面に載置されたＩＣタグ連続体１を下流側の第２搬送部６３に向けて搬送する。なお、第１搬送部６２と、第２搬送部６３との間には、ＩＣタグ連続体１の検出マーク１２を検出する第２センサ８２が設けられ、頁の先頭が第１搬送部６２と、第２搬送部６３との間に到達したことを検出可能に構成されている。
【００１９】
また、上側の搬送ベルト６２ｃ下方の駆動ローラ６２ａと従動ローラ６２ｂとの間の位置には、支持板６２ｅが上側の搬送ベルト６２ｃ下面（内周面）と接触する位置に配置されている。従って、ＩＣタグ連続体１を上流側から下流側に向かって搬送する際には、搬送ベルト６２ｃは、支持板６２ｅ上を摺動されながら回動されることになる。
【００２０】
支持板６２ｅの搬送ベルト６２ｃと対向する箇所には、第１負圧吸引部７１の第１吸引ファン７１ａの回転によって空気が吸引される吸引孔７１ｂと、第２負圧吸引部７２の第２吸引ファン７２ａの回転によって空気が吸引される吸引孔７２ｂとが搬送方向に沿って複数形成されている。そして、搬送ベルト６２ｃには、多数の貫通孔６２ｆが形成されている。従って、第１負圧吸引部７１及び第２負圧吸引部７２による負圧によってＩＣタグ連続体１は、搬送ベルト６２ｃに密着された状態で搬送されることになる。
【００２１】
第２搬送部６３は、第１搬送部６２の下流側に配置されており、駆動ローラ６３ａと従動ローラ６３ｂとの間に掛け渡されて回動する無端の搬送ベルト６３ｃと、駆動ローラ６３ａを介して搬送ベルト６３ｃを回動させる第２搬送ベルト駆動モータ６３ｄとを備えている。第２搬送部６３は、搬送ベルト６３ｃを回動させることにより、搬送ベルト６３ｃの上面に載置されたＩＣタグ連続体１を下流側の印字装置４に向けて搬送する。なお、第２搬送部６３と印字装置４との間には、ＩＣタグ連続体１の検出マーク１２を検出する第３センサ８３が設けられ、頁の先頭が第２搬送部６３と印字装置４との間に到達したことを検出可能に構成されている。
【００２２】
また、上側の搬送ベルト６３ｃ下方の駆動ローラ６３ａと従動ローラ６３ｂとの間の位置には、支持板６３ｅが上側の搬送ベルト６３ｃ下面（内周面）と接触する位置に配置されている。従って、ＩＣタグ連続体１を上流側から下流側に向かって搬送する際には、搬送ベルト６３ｃは、支持板６３ｅ上を摺動されながら回動されることになる。
【００２３】
支持板６３ｅの搬送ベルト６３ｃと対向する箇所には、第３負圧吸引部７３の第３吸引ファン７３ａの回転によって空気が吸引される吸引孔７３ｂと、第４負圧吸引部７４の第４吸引ファン７４ａの回転によって空気が吸引される吸引孔７４ｂとが搬送方向に沿って複数形成されている。そして、搬送ベルト６３ｃには、多数の貫通孔６３ｆが形成されている。従って、第３負圧吸引部７３及び第４負圧吸引部７４による負圧によってＩＣタグ連続体１は、搬送ベルト６３ｃに密着された状態で搬送されることになる。
【００２４】
第１アンテナ部３１及び第２アンテナ部３２は、第１搬送部６２の上方に近接対向して配置されている。第１アンテナ部３１と第２アンテナ部３２とは、電磁誘導方式でＩＣタグ１０と通信を行うアンテナであり、同一の構成を有している。第１アンテナ部３１は、ＩＣタグ１０からタグＩＤを読み取るために用いられる。第２アンテナ部３２は、ＩＣタグ１０（ＩＣチップ１５のユーザ記憶領域）に製品番号等の所望のデータを書き込むために用いられる。以下、ＩＣタグ１０に書き込むデータを識別データと称する。以下、第１アンテナ部３１の構成について図８乃至図１０を参照して詳細に説明する。
【００２５】
図８（ａ）を参照すると、第１アンテナ部３１は、第１搬送部６２によって搬送されるＩＣタグ連続体１の第一列から第十列のＩＣタグ１０にそれぞれ対向する位置に列アンテナ部３１ａ〜３１ｊが配置されている。列アンテナ部３１ａ〜３１ｊは、上流側の列アンテナ部３１ａ〜３１ｅと、下流側の列アンテナ部３１ｆ〜３１ｊに分かれて千鳥状に配置されており、上流側の列アンテナ部３１ａ〜３１ｅは、奇数列のＩＣタグ１０にそれぞれ対向して配置され、下流側の列アンテナ部３１ｆ〜３１ｊは、偶数列のＩＣタグ１０にそれぞれ対向して配置されている。
【００２６】
シールド板３１０は、列アンテナ部３１ａ〜３１ｊを支持する支持板であり、アルミニウム等の金属や、導電性樹脂等の導電性物質により構成されている。シールド板３１０は、第１搬送部６２によって搬送されるＩＣタグ連続体１に近接して平行に配置され、列アンテナ部３１ａ〜３１ｊにそれぞれ対応した開口部３１１ａ〜３１１ｊが上流側の開口部３１１ａ〜３１１ｅと、下流の開口部３１１ｆ〜３１１ｊとに分かれて千鳥状に形成されている。開口部３１１ａ〜３１１ｊは、搬送方向を長手方向とする細長い略矩形状であり、上流側の開口部３１１ａ〜３１１ｅは、上流側の１つ角の形状のみが異なり、下流の開口部３１１ｆ〜３１１ｊは、下流側の１つ角の形状のみが異なっている。シールド板３１０において、上流側の開口部３１１ａ〜３１１ｅの間と、下流の開口部３１１ｆ〜３１１ｊの間にそれぞれ形成された領域は、互いの通信が干渉することを防止する干渉防止領域となる。
【００２７】
列アンテナ部３１ａ〜３１ｊは、図９及び図１０を参照すると、開口部３１１ａ〜３１１ｊと略同一形状のプリント基板３１２と、プリント基板３１２の下面に形成されたループ状アンテナ素子３１３と、プリント基板３１２の端部のループ状アンテナ素子３１３とは反対の上面に立設されたアンテナ端子３１４と、フェライトシート３１５と、上面側からプリント基板３１２を覆うアンテナケース３１６とからなる。プリント基板３１２は、アンテナ端子３１４が立設されている端部側の１つ角の形状のみが異なっている。アンテナケース３１６は、アルミニウム等の金属や、導電性樹脂等の導電性物質により構成され、アンテナ端子３１４が貫通する端子用開口３１６ａが形成されており、アンテナケース３１６とプリント基板３１２との間にフェライトシート３１５を介在させた状態で端子用開口３１６ａにアンテナ端子３１４を貫通させ、アンテナ端子３１４に図示しない止め輪を装着することで、アンテナケース３１６に対してプリント基板３１２が固定される。フェライトシート３１５は、プリント基板３１２の上面側からループ状アンテナ素子３１３を覆い、プリント基板３１２からの放射を抑制させることができる。そして、プリント基板３１２が開口部３１１ａ〜３１１ｊに嵌り込むように、ねじ３１７によってアンテナケース３１６をシールド板３１０の上面側に固定させる。この状態では、ＩＣタグ連続体１に対向する面以外が電磁的にシールドされていることになり、プリント基板３１２のループ状アンテナ素子３１３が形成されている面が、第１搬送部６２によって搬送されるＩＣタグ連続体１と直接対向する。
【００２８】
開口部３１１ａ〜３１１ｊと、プリント基板３１２とは、１つ角の形状のみが異なる細長い略矩形状であるため、一意の方向で嵌装される。上流側の開口部３１１ａ〜３１１ｅは、上流側の１つ角の形状のみが異なっているため、上流側の列アンテナ部３１ａ〜３１ｅでは、プリント基板３１２の端部に立接されているアンテナ端子３１４が上流側に位置する。また、下流の開口部３１１ｆ〜３１１ｊは、下流側の１つ角の形状のみが異なっているため、下流側の列アンテナ部３１ｆ〜３１ｊでは、プリント基板３１２の端部に立接されているアンテナ端子３１４が下流側に位置する。このように、上流側に配置された列アンテナ部３１ａ〜３１ｅの各アンテナ端子３１４と、下流側に配置された列アンテナ部３１ｆ〜３１ｊの各アンテナ端子３１４とは、互いに離間する方向に配置されている。これにより、上流側に配置された列アンテナ部３１ａ〜３１ｅの各アンテナ端子３１４と、下流側に配置された列アンテナ部３１ｆ〜３１ｊの各アンテナ端子３１４との干渉を防止することができる。
【００２９】
図９及び図１０に示す符号３１８は、シールド板３１０の下面に開口部３１１ａ〜３１１ｊを覆うように貼り付けられたシリコーンコーティングシート等の非粘着コーティングシートである。ＩＣタグ連続体１が台紙に仮着されたラベル連続体である場合には、非粘着コーティングシート３１８を設けることで、シールド板３１０へのラベルの貼着を防止することができる。なお、非粘着コーティングシート３１８は、下面の開口部３１１ａ〜３１１ｊを含むシールド板３１０全体を覆うように貼り付けることができる。
【００３０】
第３アンテナ部３３は、第２搬送部６３の上方に対向して配置されている。第３アンテナ部３３は、第１アンテナ部３１及び第２アンテナ部３２とは異なる電波方式でＩＣタグ１０と通信を行うアンテナである。第３アンテナ部３３は、ＩＣタグ１０に識別データを書き込むために用いられる。
【００３１】
印字装置４は、ＩＣタグ連続体１のそれぞれのＩＣタグ１０の表面に製品や生産者のデータやそれらをコード化したバーコード等の印字を施す印字手段である。以下、ＩＣタグ１０の表面に印字する製品や生産者のデータやそれらをコード化したバーコード等のデータを印字データと称する。印字装置４は、図１１を参照すると、印字部４１と、光定着部４２と、フィルター部４３と、図１を参照すると、第２トラクタフィーダ部６４と、第３搬送部６５と、排出ローラ６６と、第５負圧吸引部７５とを備えている。
【００３２】
第２トラクタフィーダ部６４は、前処理装置３からのＩＣタグ連続体１を受け入れる最上流に配置され、図１１を参照すると、駆動ローラ６４ａと従動ローラ６４ｂとの間に掛け渡されて回動する無端ベルト６４ｃと、駆動ローラ６４ａを介して無端ベルト６４ｃを回動させる第２トラクタフィーダ駆動モータ６４ｄとを備え、無端ベルト６４ｃには、ＩＣタグ連続体１のスプロケットホール１１と係合する送りピン６４ｅが形成されている。これにより、第２トラクタフィーダ部６４は、無端ベルト６４ｃを回動させることにより、送りピン６４ｅが順次、スプロケットホール１１に係脱可能に係合してＩＣタグ連続体１を下流側の印字部４１に向けて牽引搬送する。また、第２トラクタフィーダ部６４の駆動ローラ６４ａには、駆動ローラ６４ａの回転を検出する第２ロータリエンコーダ部９２が備えられている。第２トラクタフィーダ部６４と印字部４１との間には、ＩＣタグ連続体１の検出マーク１２を検出する第４センサ８４が設けられている。これにより、第４センサ８４及び第２ロータリエンコーダ部９２の検出結果によって、印字装置４におけるＩＣタグ連続体１（ＩＣタグ１０）の位置が検出可能に構成されている。
【００３３】
印字部４１は、レーザ光によって感光ドラムに潜像を形成し、この潜像をトナーで現像した後、ＩＣタグ１０の表面に転写するレーザ等の電子写真方式が採用されている。印字部４１は、ＩＣタグ連続体１のそれぞれのＩＣタグ１０の表面に製品や生産者のデータやそれらをコード化したバーコード等の印字を施すと共に、ＩＣタグ１０以外の頁先頭付近の領域、例えばスプロケットホール１１が形成されている領域に頁番号を印字する。なお、印字部４１の印字方式は、電子写真方式に限定するものではなく、熱転写式、感熱式やインクジェット式であっても良い。
【００３４】
第３搬送部６５は、印字部４１の下流側に配置されており、駆動ローラ６５ａと従動ローラ６５ｂとの間に掛け渡されて回動する無端の搬送ベルト６５ｃと、駆動ローラ６５ａを介して搬送ベルト６５ｃを回動させる第３搬送ベルト駆動モータ６５ｄとを備えている。第３搬送部６５は、搬送ベルト６５ｃを回動させることにより、搬送ベルト６５ｃの上面に載置されたＩＣタグ連続体１を下流側の排出ローラ６６を介して後処理装置５に向けて搬送する。
【００３５】
また、上側の搬送ベルト６５ｃ下方の駆動ローラ６５ａと従動ローラ６５ｂとの間の位置には、支持板６５ｅが上側の搬送ベルト６５ｃ下面（内周面）と接触する位置に配置されている。従って、ＩＣタグ連続体１を上流側から下流側に向かって搬送する際には、搬送ベルト６５ｃは、支持板６５ｅ上を摺動されながら回動されることになる。
【００３６】
支持板６５ｅの搬送ベルト６５ｃと対向する箇所には、第５負圧吸引部７５の第５吸引ファン７５ａの回転によって空気が吸引される吸引孔が搬送方向に沿って複数形成されている。そして、搬送ベルト６５ｃには、多数の貫通孔が形成されている。従って、第５負圧吸引部７５による負圧によってＩＣタグ連続体１は、搬送ベルト６５ｃに密着された状態で搬送されることになる。
【００３７】
光定着部４２は、第３搬送部６５によって搬送されるＩＣタグ連続体１の表面に対して、キセノン管等を使用したフラッシュ光を照射することで、印字部４１よって転写されたトナーを融解させてトナー像を定着させる。これにより、ＩＣタグ１０にダメージ（外力）を与えることなく、非接触でトナー像を定着させることができる。
【００３８】
フィルター部４３は、光定着部４２による光定着の際に発生するガスや異臭を消すためのエアフィルターである。
【００３９】
後処理装置５は、ＩＣタグ連続体１のそれぞれのＩＣタグ１０に識別データが正しく書き込まれたことを検証すると共に、識別データを正しく書き込めなかったＩＣタグ１０に目印を施す。後処理装置５は、図１２を参照すると、第４アンテナ部５１と、エンボス処理部５２と、第４搬送部６７と、第６負圧吸引部７６と、第７負圧吸引部７７と、頁番号読取部９３と、第５センサ８５と、第６センサ８６と、第７センサ８７とを備えている。
【００４０】
第４搬送部６７は、印字装置４からのＩＣタグ連続体１を受け入れる後処理装置５の最上流に配置され、駆動ローラ６７ａと従動ローラ６７ｂとの間に掛け渡されて回動する無端の搬送ベルト６７ｃと、駆動ローラ６７ａを介して搬送ベルト６７ｃを回動させる第４搬送ベルト駆動モータ６７ｄとを備えている。第４搬送部６７は、搬送ベルト６７ｃを回動させることにより、搬送ベルト６７ｃの上面に載置されたＩＣタグ連続体１を下流側のエンボス処理部５２に向けて搬送する。なお、第４搬送部６７と、エンボス処理部５２との間には、ＩＣタグ連続体１の検出マーク１２を検出する第６センサ８６が設けられ、頁の先頭が第４搬送部６７とエンボス処理部５２との間に到達したことを検出可能に構成されている。また、エンボス処理部５２の排出口には、ＩＣタグ連続体１の検出マーク１２を検出する第７センサ８７が設けられ、エンボス処理部５２でのジャム等を検出可能に構成されている。
【００４１】
また、上側の搬送ベルト６７ｃ下方の駆動ローラ６７ａと従動ローラ６７ｂとの間の位置には、支持板６７ｅが上側の搬送ベルト６７ｃ下面（内周面）と接触する位置に配置されている。従って、ＩＣタグ連続体１を上流側から下流側に向かって搬送する際には、搬送ベルト６７ｃは、支持板６７ｅ上を摺動されながら回動されることになる。
【００４２】
支持板６７ｅの搬送ベルト６７ｃと対向する箇所には、第６負圧吸引部７６の第６吸引ファン７６ａの回転によって空気が吸引される吸引孔と、第７負圧吸引部７７の第７吸引ファン７７ａの回転によって空気が吸引される吸引孔とが搬送方向に沿って複数形成されている。そして、搬送ベルト６７ｃには、多数の貫通孔が形成されている。従って、第６負圧吸引部７６及び第７負圧吸引部７７による負圧によってＩＣタグ連続体１は、搬送ベルト６７ｃに密着された状態で搬送されることになる。
【００４３】
第５センサ８５は、印字装置４からのＩＣタグ連続体１を受け入れる後処理装置５における最上流付近に配置され、頁の先頭が後処理装置５に到達したことを検出可能に構成されている。また、頁番号読取部９３も、印字装置４からのＩＣタグ連続体１を受け入れる最上流付近に配置され、第５センサ８５によって頁の先頭が後処理装置５に到達したことが検出されると、ＩＣタグ連続体１の表面を撮影することで、印字装置４で印字された頁番号を読み取る。
【００４４】
第４アンテナ部５１は、第４搬送部６７の上方に対向して配置されている。第４アンテナ部５１は、第１アンテナ部３１及び第２アンテナ部３２とは異なる電波方式でＩＣタグ１０と通信を行うアンテナである。第４アンテナ部５１は、第４搬送部６７によって搬送されているＩＣタグ１０からタグＩＤとＩＣタグ１０に書き込んだ識別データとを読み取るために用いられる。
【００４５】
エンボス処理部５２は、図１２を参照すると、複数列のＩＣタグ１０のそれぞれに対応してカッター部材５３がそれぞれ設けられている。カッター部材５３は、ＩＣタグ１０の端部の一部を切断して、折り曲げるエンボス処理を行う目印付与手段である。そして、エンボス処理部５２は、識別データを正しく書き込めなかったＩＣタグ１０に対し、カッター部材５３を用いてその端部の一部を切起こして、折り曲げるエンボス処理を行う。
【００４６】
第１アンテナ部３１及び第２アンテナ部３２と、第３アンテナ部３３と、第４アンテナ部５１とは、第１搬送部６２の搬送ベルト６２ｃ及び支持板６２ｅと、第２搬送部６３の搬送ベルト６３ｃ及び支持板６３ｅと、第４搬送部６７の搬送ベルト６７ｃ及び支持板６７ｅとそれぞれ対向配置されている。従って、搬送ベルト６２ｃ、６３ｃ、６７ｃと、支持板６２ｅ、６３ｅ、６７ｅとは、各アンテナ部と相対するＩＣタグ連続体１（ＩＣタグ１０）との間で行われる交信を良好に保つために、ＩＣタグ連続体１（ＩＣタグ１０）のアンテナの共振周波数が変動しないよう低誘電率であることが好ましい。また、搬送ベルト６２ｃ、６３ｃ、６７ｃは、支持板６２ｅ、６３ｅ、６７ｅの方向にそれぞれ負圧された状態で摺動するため、搬送ベルト６２ｃ、６３ｃ、６７ｃと、支持板６２ｅ、６３ｅ、６７ｅとの摺動による摩耗が少ないこと、搬送ベルト６２ｃ、６３ｃ、６７ｃ及び支持板６２ｅ、６３ｅ、６７ｅが耐摩擦性に優れ（摩擦係数の低い素材）、帯電しづらいことが重要である。そこで、本実施の形態では、搬送ベルト６２ｃ、６３ｃ、６７ｃとしてウレタンベルトを採用すると共に、支持板６２ｅ、６３ｅ、６７ｅとしてＰＯＭ（ポリアセタール樹脂）プレートを採用した。
【００４７】
次に、本実施の形態のＩＣタグ発行装置の動作を制御する制御部の構成について図１３乃至図１５を参照して詳細に説明する。
本実施の形態のＩＣタグ発行装置は、図１３を参照すると、搬送制御部１０１と、書込制御部１０２と、印字制御部１０３と、情報記憶部１１０と、タグＩＤ読取部１２１と、第１識別データ書込部１２２と、第２識別データ書込部１２３と、識別データ読取部１２４とを備えている。
【００４８】
搬送制御部１０１は、ＣＰＵ（Central Processing Unit）、ＲＯＭ（Read Only Memory）、ＲＡＭ（Random Access Memory）等を備えたマイクロコンピューター等の情報処理部である。搬送制御部１０１のＲＯＭには、ＩＣタグ連続体１の搬送制御を行うための制御プログラムが記憶されている。搬送制御部１０１は、ＲＯＭに記憶されている制御プログラムを読み出し、制御プログラムをＲＡＭに展開させることで、位置センサ群（第１センサ８１、第１ロータリエンコーダ部９１、第２センサ８２、第３センサ８３、第４センサ８４、第２ロータリエンコーダ部９２、第５センサ８５、第６センサ８６、第７センサ８７）からの入力に応じて搬送構成要素群（第１トラクタフィーダ駆動モータ６１ｄ、第１搬送ベルト駆動モータ６２ｄ、第２搬送ベルト駆動モータ６３ｄ、第２トラクタフィーダ駆動モータ６４ｄ、第３搬送ベルト駆動モータ６５ｄ、第４搬送ベルト駆動モータ６７ｄ）と、吸引構成要素群（第１吸引ファン７１ａ、第２吸引ファン７２ａ、第３吸引ファン７３ａ、第４吸引ファン７４ａ、第５吸引ファン７５ａ、第６吸引ファン７６ａ、第７吸引ファン７７ａ）とを制御してＩＣタグ連続体１を搬送させる。
【００４９】
書込制御部１０２は、ＣＰＵ（Central Processing Unit）、ＲＯＭ（Read Only Memory）、ＲＡＭ（Random Access Memory）等を備えたマイクロコンピューター等の情報処理部である。書込制御部１０２のＲＯＭには、ＩＣタグ連続体１のそれぞれのＩＣタグ１０に識別データを書き込むための制御プログラムが記憶されている。書込制御部１０２は、ＲＯＭに記憶されている制御プログラムを読み出し、制御プログラムをＲＡＭに展開させることで、通信構成要素群（タグＩＤ読取部１２１、第１識別データ書込部１２２、第２識別データ書込部１２３、識別データ読取部１２４）を制御してＩＣタグ連続体１のそれぞれのＩＣタグ１０に識別データを書き込む。
【００５０】
印字制御部１０３は、ＣＰＵ（Central Processing Unit）、ＲＯＭ（Read Only Memory）、ＲＡＭ（Random Access Memory）等を備えたマイクロコンピューター等の情報処理部である。印字制御部１０３のＲＯＭには、印字部４１及び光定着部４２を動作させる制御プログラムが記憶されている。印字制御部１０３は、ＲＯＭに記憶されている制御プログラムを読み出し、制御プログラムをＲＡＭに展開させることで、印字部４１及び光定着部４２を制御してＩＣタグ連続体１のそれぞれのＩＣタグ１０の表面に印字データを印字させる。
【００５１】
情報記憶部１１０は、半導体メモリやＨＤＤ（Hard Disk Drive）等の記憶手段であり、製品情報記憶部１１１と、頁情報記憶部１１２と、再発行情報記憶部１１３とを備えている。
【００５２】
製品情報記憶部１１１は、図示しないネットワークや各種記録メディアを介して入力された製品情報を記憶する記憶手段である。製品情報は、図１４に示すように、ＩＣタグ連続体１のそれぞれのＩＣタグ１０に書き込む識別データ（管理番号等）と、ＩＣタグ連続体１のそれぞれのＩＣタグ１０の表面に印字する印字データ（製品番号、製品名等）と、識別データを書き込んだＩＣタグ１０のタグＩＤとからなる一覧情報である。なお、タグＩＤは、ＩＣタグ１０に識別データを書き込むまでは、図１４（ａ）に示すように空欄であり、ＩＣタグ１０に識別データを書き込んだ後に、図１４（ｂ）に示すように識別データを書き込んだＩＣタグ１０のタグＩＤが記述される。
【００５３】
頁情報記憶部１１２は、ＩＣタグ連続体１の１頁毎に生成される頁情報を記憶する記憶手段である。頁情報は、図１５（ａ）を参照すると、タグＩＤの頁上の位置を示す行列情報と、読み取ったタグＩＤと、１頁のそれぞれのＩＣタグ１０に書き込む識別データ（管理番号等）と、１頁のそれぞれのＩＣタグ１０の表面に印字する印字データ（製品番号、製品名等）と、識別データを書き込んだＩＣタグ１０のタグＩＤとからなる。なお、頁情報記憶部１１２として、書込制御部１０２や印字制御部１０３のＲＡＭ上に記憶領域を確保して、バッファとして用いるようにしても良い。
【００５４】
再発行情報記憶部１１３は、最後にまとめて再発行する再発行情報を記憶する記憶手段である。再発行情報は、図１５（ｂ）を参照すると、ＩＣタグ１０への書き込みに失敗した識別データと、対応する印字データ（製品番号、製品名等）とからなる。
【００５５】
タグＩＤ読取部１２１は、第１アンテナ部３１を用いて、第１搬送部６２によって搬送されているＩＣタグ連続体１のＩＣタグ１０からタグＩＤを電磁誘導方式で読み取るリーダライタである。なお、タグＩＤ読取部１２１は、周波数の異なる複数のチャンネルでＩＣタグ１０と通信を行う機能を有しており、少なくとも幅方向及び斜め方向に隣り合う列アンテナ部３１ａ〜３１ｊでは、異なるチャンネルを用いるように構成されている。
【００５６】
第１識別データ書込部１２２は、第２アンテナ部３２を用いて、第１搬送部６２によって搬送されているＩＣタグ連続体１のＩＣタグ１０に識別データを電磁誘導方式で書き込むリーダライタである。なお、第１識別データ書込部１２２は、周波数の異なる複数のチャンネルでＩＣタグ１０と通信を行う機能を有しており、少なくとも幅方向及び斜め方向に隣り合う列アンテナ部３２ａ〜３２ｊでは、異なるチャンネルを用いるように構成されている。
【００５７】
第２識別データ書込部１２３は、第３アンテナ部３３を用いて、第２搬送部６３によって搬送されているＩＣタグ連続体１のＩＣタグ１０に識別データを電波方式で書き込むリーダライタである。
【００５８】
識別データ読取部１２４は、第４アンテナ部５１を用いて、第４搬送部６７によって搬送されているＩＣタグ連続体１のＩＣタグ１０からタグＩＤと識別データとを電波方式で読み取るリーダライタである。
【００５９】
次に、本実施の形態のＩＣタグ発行装置の発行動作について図１６乃至図１８を参照して詳細に説明する。
ＩＣタグ連続体１が第１トラクタフィーダ部６１にセットされ、図示しないスタートボタンが押下されると、搬送制御部１０１は、搬送構成要素群（第１トラクタフィーダ駆動モータ６１ｄ、第１搬送ベルト駆動モータ６２ｄ、第２搬送ベルト駆動モータ６３ｄ、第２トラクタフィーダ駆動モータ６４ｄ、第３搬送ベルト駆動モータ６５ｄ、第４搬送ベルト駆動モータ６７ｄ）を制御してＩＣタグ連続体１を搬送させる。なお、本実施の形態のＩＣタグ発行装置では、印字装置４の印字速度を基準としてＩＣタグ連続体１の搬送が行われ、前処理装置３及び後処理装置５では、ＩＣタグ連続体１が常に搬送されている状態で一連の処理が行われることになる。
【００６０】
図１６を参照すると、搬送制御部１０１は、第１トラクタフィーダ部６１の近傍に設けられた第１センサ８１による検出マーク１２の検出を待機する（ステップＡ０１）。そして、第１センサ８１によって頁の開始を知らせる検出マーク１２が検出されると、書込制御部１０２に検出マーク１２の検出を通知する。
【００６１】
そして、検出マーク１２の検出が通知された書込制御部１０２は、空欄の頁情報を生成する（ステップＡ０２）。次に、搬送制御部１０１は、第１ロータリエンコーダ部９１の検出結果によって、ＩＣタグ連続体１の搬送距離を把握し、第１行目のＩＣタグ１０の第１アンテナ部３１において上流側に位置する列アンテナ部３１ａ〜３１ｅへの到達を待機する（ステップＡ０３）。具体的には、第１行目奇数列のＩＣタグ１０のループ状アンテナ素子１４ａの全てが列アンテナ部３１ａ〜３１ｅのループ状アンテナ素子３１３内に入ると到達と判断される。
【００６２】
第１行目のＩＣタグ１０が第１アンテナ部３１において上流側に位置する列アンテナ部３１ａ〜３１ｅに到達すると、その旨が搬送制御部１０１から書込制御部１０２に通知される。書込制御部１０２は、タグＩＤ読取部１２１によって第１行目の奇数列のＩＣタグ１０からタグＩＤをそれぞれ読み取り（ステップＡ０４）、読み取ったタグＩＤをステップＡ０２で生成した頁情報に記述する（ステップＡ０５）。タグＩＤを読み取ることができなかったＩＣタグ１０のデータレコードは空欄の状態で維持される。図１７（ａ）には、第１行目の奇数列の全てのＩＣタグ１０からタグＩＤをそれぞれ読み取ることに成功し、読み取ったタグＩＤが頁情報に記述されている状態が示されている。
【００６３】
次に、搬送制御部１０１は、第１ロータリエンコーダ部９１の検出結果によって、ＩＣタグ連続体１の搬送距離を把握し、第１行目のＩＣタグ１０の第１アンテナ部３１において下流側に位置する列アンテナ部３１ｆ〜３１ｊへの到達を待機する（ステップＡ０６）。具体的には、第１行目偶数列のＩＣタグ１０のループ状アンテナ素子１４ａの全てが列アンテナ部３１ｆ〜３１ｊのループ状アンテナ素子３１３内に入ると到達と判断される。
【００６４】
第１行目のＩＣタグ１０が第１アンテナ部３１において下流側に位置する列アンテナ部３１ｆ〜３１ｊに到達すると、その旨が搬送制御部１０１から書込制御部１０２に通知される。書込制御部１０２は、タグＩＤ読取部１２１によって第１行目の偶数列のＩＣタグ１０からタグＩＤをそれぞれ読み取り（ステップＡ０７）、読み取ったタグＩＤをステップＡ０２で生成した頁情報に記述する（ステップＡ０８）。
【００６５】
この時点で、タグＩＤが記述されているか否かで第１行目の正常なＩＣタグ１０が判断される。書込制御部１０２は、第１行目の正常なＩＣタグ１０に記憶させる識別データと印字データとを製品情報から順次読み出して、タグＩＤが記述されている頁情報のデータレコードに読み出した識別データ及び印字データを記述する（ステップＡ０９）。図１７（ｂ）には、第１行目の偶数列の全てのＩＣタグ１０からもタグＩＤをそれぞれ読み取ることに成功し、頁情報において第１行目の全てのデータレコードにタグＩＤがそれぞれ記述され、さらに製品情報から読み出した識別データ及び印字データが記述されている状態が示されている。なお、製品情報から読み出されて頁情報に記述された識別データ及び印字データは、再び製品情報から読み出されて頁情報に記述されることがないようにフラグ等によって制御される。
【００６６】
次に、搬送制御部１０１は、第１ロータリエンコーダ部９１の検出結果によって、ＩＣタグ連続体１の搬送距離を把握し、第２行目のＩＣタグ１０の第１アンテナ部３１において上流側に位置する列アンテナ部３１ａ〜３１ｅへの到達を待機する（ステップＡ１０）。具体的には、第２行目奇数列のＩＣタグ１０のループ状アンテナ素子１４ａの全てが列アンテナ部３１ａ〜３１ｅのループ状アンテナ素子３１３内に入ると到達と判断される。
【００６７】
第２行目のＩＣタグ１０が第１アンテナ部３１において上流側に位置する列アンテナ部３１ａ〜３１ｅに到達すると、その旨が搬送制御部１０１から書込制御部１０２に通知される。書込制御部１０２は、タグＩＤ読取部１２１によって第２行目の奇数列のＩＣタグ１０からタグＩＤをそれぞれ読み取り（ステップＡ１１）、読み取ったタグＩＤをステップＡ０２で生成した頁情報に記述する（ステップＡ１２）。
【００６８】
次に、搬送制御部１０１は、第１ロータリエンコーダ部９１の検出結果によって、ＩＣタグ連続体１の搬送距離を把握し、第２行目のＩＣタグ１０の第１アンテナ部３１において下流側に位置する列アンテナ部３１ｆ〜３１ｊへの到達を待機する（ステップＡ１３）。具体的には、第２行目偶数列のＩＣタグ１０のループ状アンテナ素子１４ａの全てが列アンテナ部３１ｆ〜３１ｊのループ状アンテナ素子３１３内に入ると到達と判断される。
【００６９】
第２行目のＩＣタグ１０が第１アンテナ部３１において下流側に位置する列アンテナ部３１ｆ〜３１ｊに到達すると、その旨が搬送制御部１０１から書込制御部１０２に通知される。書込制御部１０２は、タグＩＤ読取部１２１によって第２行目の偶数列のＩＣタグ１０からタグＩＤをそれぞれ読み取り（ステップＡ１４）、読み取ったタグＩＤをステップＡ０２で生成した頁情報に記述する（ステップＡ１５）。この時点で、タグＩＤが記述されているか否かで第２行目の正常なＩＣタグ１０が判断される。書込制御部１０２は、第２行目の正常なＩＣタグ１０に記憶させる識別データと印字データとを製品情報から順次読み出して、タグＩＤが記述されている頁情報のデータレコードに読み出した識別データ及び印字データを記述する（ステップＡ１６）。図１５（ａ）には、第２行第１列のＩＣタグ１０からタグＩＤを読みとることができず、第２行第１列のデータレコードが空欄になっている状態が示されている。
【００７０】
なお、ステップＡ０４、Ａ０７、Ａ１１、Ａ１４でのタグＩＤの読み取りは、ＩＣタグ１０が列アンテナ部３１ａ〜３１ｊの通信領域から外れるまで（ＩＣタグ１０のループ状アンテナ素子１４ａが列アンテナ部３１ａ〜３１ｊのループ状アンテナ素子３１３から外れるまで）、複数回行うようにしても良い。
【００７１】
ステップＡ１〜Ａ１６で行われるタグＩＤの読み取り動作は、ＩＣタグ１０が正常に機能しているか否かを判断するために行われている。従って、頁情報においてタグＩＤが記述されているか否かでＩＣタグ１０が正常か否かが判断されることになる。
【００７２】
また、ステップＡ０６での第１行目のＩＣタグ１０が第１アンテナ部３１において下流側に位置する列アンテナ部３１ｆ〜３１ｊに到達するタイミングと、ステップＡ１０での第２行目のＩＣタグ１０が第１アンテナ部３１において上流側に位置する列アンテナ部３１ａ〜３１ｅに到達するタイミングとは、ＩＣタグ１０のピッチや列アンテナ部３１ａ〜３１ｊの大きさやレイアウトによって相前後したり、ほぼ同時になったりすることがある。この場合、上流側に位置する列アンテナ部３１ａ〜３１ｅと、下流側に位置する列アンテナ部３１ｆ〜３１ｊとで同時に通信が行われることになるが、斜め方向に隣り合う列アンテナ部３１ａ〜３１ｊでは、異なるチャンネルを用いて通信を行っているため、干渉を防止して対象とするＩＣタグ１０と確実に通信を行うことができる。
【００７３】
図１８を参照すると、搬送制御部１０１は、第１ロータリエンコーダ部９１の検出結果によって、ＩＣタグ連続体１の搬送距離を把握し、第１行目のＩＣタグ１０の第２アンテナ部３２において上流側に位置する列アンテナ部３２ａ〜３２ｅへの到達を待機する（ステップＢ０１）。具体的には、第１行目奇数列のＩＣタグ１０のループ状アンテナ素子１４ａの全てが列アンテナ部３２ａ〜３２ｅのループ状アンテナ素子３１３内に入ると到達と判断される。
【００７４】
第１行目のＩＣタグ１０が第２アンテナ部３２において上流側に位置する列アンテナ部３２ａ〜３２ｅに到達すると、その旨が搬送制御部１０１から書込制御部１０２に通知される。書込制御部１０２は、第１識別データ書込部１２２によって第１行目の奇数列のＩＣタグ１０に対して頁情報に記述された識別データを書き込み（ステップＢ０２）、全てで書き込みが成功したか否かを判断する（ステップＢ０３）。そして、ステップＢ０３で全ての書き込みが成功することなく、書込制御部１０２は、識別データの書き込みに失敗したＩＣタグ１０がある場合には、書き込みに失敗した識別データを含むデータレコード（タグＩＤと識別データ）を頁情報から抽出して（ステップＢ０４）、ＲＡＭ等に一時記憶する。
【００７５】
次に、搬送制御部１０１は、第１ロータリエンコーダ部９１の検出結果によって、ＩＣタグ連続体１の搬送距離を把握し、第１行目のＩＣタグ１０の第２アンテナ部３２において下流側に位置する列アンテナ部３２ｆ〜３２ｊへの到達を待機する（ステップＢ０５）。具体的には、第１行目偶数列のＩＣタグ１０のループ状アンテナ素子１４ａの全てが列アンテナ部３２ｆ〜３２ｊのループ状アンテナ素子３１３内に入ると到達と判断される。
【００７６】
第１行目のＩＣタグ１０が第２アンテナ部３２において下流側に位置する列アンテナ部３２ｆ〜３２ｊに到達すると、その旨が搬送制御部１０１から書込制御部１０２に通知される。書込制御部１０２は、第１識別データ書込部１２２によって第１行目の偶数列のＩＣタグ１０に対して頁情報に記述された識別データを書き込み（ステップＢ０６）、全てで書き込みが成功したか否かを判断する（ステップＢ０７）。そして、ステップＢ０７で全ての書き込みが成功することなく、書込制御部１０２は、識別データの書き込みに失敗したＩＣタグ１０がある場合には、書き込みに失敗した識別データを含むデータレコード（タグＩＤと識別データ）を頁情報から抽出して（ステップＢ０８）、ＲＡＭ等に一時記憶する。
【００７７】
次に、搬送制御部１０１は、第１ロータリエンコーダ部９１の検出結果によって、ＩＣタグ連続体１の搬送距離を把握し、第２行目のＩＣタグ１０の第２アンテナ部３２において上流側に位置する列アンテナ部３２ａ〜３２ｅへの到達を待機する（ステップＢ０９）。具体的には、第２行目奇数列のＩＣタグ１０のループ状アンテナ素子１４ａの全てが列アンテナ部３２ａ〜３２ｅのループ状アンテナ素子３１３内に入ると到達と判断される。
【００７８】
第２行目のＩＣタグ１０が第２アンテナ部３２において上流側に位置する列アンテナ部３２ａ〜３２ｅに到達すると、その旨が搬送制御部１０１から書込制御部１０２に通知される。書込制御部１０２は、第１識別データ書込部１２２によって第２行目の奇数列のＩＣタグ１０に対して頁情報に記述された識別データを書き込み（ステップＢ１０）、全てで書き込みが成功したか否かを判断する（ステップＢ１１）。そして、ステップＢ１１で全ての書き込みが成功することなく、書込制御部１０２は、識別データの書き込みに失敗したＩＣタグ１０がある場合には、書き込みに失敗した識別データを含むデータレコード（タグＩＤと識別データ）を頁情報から抽出して（ステップＢ１２）、ＲＡＭ等に一時記憶する。
【００７９】
次に、搬送制御部１０１は、第１ロータリエンコーダ部９１の検出結果によって、ＩＣタグ連続体１の搬送距離を把握し、第２行目のＩＣタグ１０の第２アンテナ部３２において下流側に位置する列アンテナ部３２ｆ〜３２ｊへの到達を待機する（ステップＢ１３）。具体的には、第２行目偶数列のＩＣタグ１０のループ状アンテナ素子１４ａの全てが列アンテナ部３２ｆ〜３２ｊのループ状アンテナ素子３１３内に入ると到達と判断される。
【００８０】
第２行目のＩＣタグ１０が第２アンテナ部３２において下流側に位置する列アンテナ部３２ｆ〜３２ｊに到達すると、その旨が搬送制御部１０１から書込制御部１０２に通知される。書込制御部１０２は、第１識別データ書込部１２２によって第２行目の偶数列のＩＣタグ１０に対して頁情報に記述された識別データを書き込み（ステップＢ１４）、全てで書き込みが成功したか否かを判断する（ステップＢ０１５）。そして、ステップＢ１５で全ての書き込みが成功することなく、書込制御部１０２は、識別データの書き込みに失敗したＩＣタグ１０がある場合には、書き込みに失敗した識別データを含むデータレコード（タグＩＤと識別データ）を頁情報から抽出して（ステップＢ１６）、ＲＡＭ等に一時記憶する。
【００８１】
なお、ステップＢ０２、Ｂ０６、Ｂ１０、Ｂ１３での識別データの書き込みは、ＩＣタグ１０が列アンテナ部３２ａ〜３２ｊの通信領域から外れるまで（ＩＣタグ１０のループ状アンテナ素子１４ａが列アンテナ部３２ａ〜３２ｊのループ状アンテナ素子３１３から外れるまで）、複数回行うようにしても良い。
【００８２】
なお、ステップＢ０２、Ｂ０６、Ｂ１０、Ｂ１４での識別データの書き込みは、タグＩＤを読み取ることができ、頁情報に識別データが記述されているＩＣタグ１０に対して行われる。また、ステップＢ０２、Ｂ０６、Ｂ１０、Ｂ１４での識別データの書き込みは、対象のＩＣタグ１０が特定されているため、ＩＣタグ１０のタグＩＤを確認することなく、直接行われる。さらに、ステップＢ０５での第１行目のＩＣタグ１０が第２アンテナ部３２において下流側に位置する列アンテナ部３２ｆ〜３２ｊに到達するタイミングと、ステップＢ０９での第２行目のＩＣタグ１０が第２アンテナ部３２において上流側に位置する列アンテナ部３２ａ〜３２ｅに到達するタイミングとは、ＩＣタグ１０のピッチや列アンテナ部３２ａ〜３２ｊの大きさやレイアウトによって相前後したり、ほぼ同時になったりすることがある。この場合、上流側に位置する列アンテナ部３２ａ〜３２ｅと、下流側に位置する列アンテナ部３２ｆ〜３２ｊとで同時に通信が行われることになるが、斜め方向に隣り合う列アンテナ部３２ａ〜３２ｊでは、異なるチャンネルを用いて通信を行っているため、干渉を防止して対象とするＩＣタグ１０と確実に通信を行うことができる。
【００８３】
次に、搬送制御部１０１は、第１ロータリエンコーダ部９１の検出結果によって、ＩＣタグ連続体１の搬送距離を把握し、ステップＢ０２、Ｂ０６、Ｂ１０、Ｂ１３で識別データの書き込みを行ったＩＣタグ１０の第３アンテナ部３２の通信領域への到達を待機する（ステップＢ１７）。そして、ステップＢ０２、Ｂ０６、Ｂ１０、Ｂ１３で識別データの書き込みを行ったＩＣタグ１０が第３アンテナ部３３の通信領域に到達すると、その旨が搬送制御部１０１から書込制御部１０２に通知される。書込制御部１０２は、ステップＢ０２、Ｂ０６、Ｂ１０、Ｂ１３での識別データの書き込みに失敗したＩＣタグ１０に対し、第２識別データ書込部１２３によって識別データを書き込む（ステップＢ１８）。第２識別データ書込部１２３は、ステップＢ０４、Ｂ０８、Ｂ１２、Ｂ１６で抽出したデータレコードに基づき、タグＩＤを指定してＩＣタグ１０に識別データを書き込む。
【００８４】
なお、第２識別データ書込部１２３は第３アンテナ部３３を用いて電波方式でＩＣタグ１０と通信を行うため、電磁誘導方式に比べて通信領域は広いが、第１アンテナ部３１と第２アンテナ部３２はＩＣタグ連続体１に対向する面以外が電磁的にシールドされているため、タグＩＤ読取部１２１や第１識別データ書込部１２２による通信との干渉が防止されている。
【００８５】
次に、搬送制御部１０１は、第１ロータリエンコーダ部９１の検出結果によって、ＩＣタグ連続体１の搬送距離を把握し、印字装置４に該当頁の到達を通知する。そして、印字装置４は、第４センサ８４によって検出マーク１２を検出することで該当頁の先頭を検出し、該当頁に頁番号を印字すると共に、該当頁のＩＣタグ１０の表面に頁情報に記述されている印字データをそれぞれ印字する（ステップＢ１９）。
【００８６】
次に、搬送制御部１０１は、後処理装置５の第５センサ８５は、第５センサ８５によって該当頁の検出マーク１２が検出されると、頁番号読取部９３及び書込制御部１０２に検出マーク１２の検出を通知し、頁番号読取部９３に該当頁に印字された頁番号を読み取る（ステップＢ２０）。頁番号の読み取りは、頁を特定するために行われる。従って、頁番号以外にバーコード等の記号を印字して読み取るようにしても良いが、ユーザが頁を直接認識することができる頁番号を印字することで、人手による点検を容易に行うことができる。
【００８７】
次に、書込制御部１０２は、識別データ読取部１２４によって第４アンテナ部５１を用いて、第４搬送部６７によって搬送されているＩＣタグ連続体１のＩＣタグ１０からタグＩＤ及び識別データを読み取る（ステップＢ２１）。そして、書込制御部１０２は、ステップＢ２１で読み取ったタグＩＤ及び識別データと、頁番号読取部９３によって読み取った頁番号の頁情報とを比較し（ステップＢ２２）、全てが一致するか否かを判断する（ステップＢ２３）。
【００８８】
ステップＢ２３で不一致のデータレコードがある場合、すなわち頁情報に記述されている識別データを読み取ることができなかったり、頁情報とは異なるタグＩＤのＩＣタグ１０に識別データが書き込まれていたりした場合には、不一致のデータレコードとして識別データと印字データとを再発行情報記憶部１１３に再発行情報として記述する（ステップＢ２４）。図１５（ｂ）には、第１行第５列のＩＣタグ１０から頁情報に記述されている識別データを読み取ることができず、第１行第５列の識別データと印字データが再発行情報として記述された例が示されている。
【００８９】
次に、図１４（ｂ）に示すように、識別データをキーにしてステップＢ２３で一致のデータレコードのタグＩＤを製品情報に記述して（ステップＢ２５）、１頁の発行動作を終了する。なお、ステップＡ０１〜ステップＢ２５の発行動作は、頁毎に並行処理される。そして、製品情報に基づく発行動作が終了した後、再発行情報に基づく発行動作が行われる。
【００９０】
書込制御部１０２は、タグＩＤを読み取ることができなかったＩＣタグ１０と、識別データが頁情報と一致しなかったＩＣタグ１０との位置情報をエンボス処理部５２に通知する。そして、エンボス処理部５２は、タグＩＤを読み取ることができなかったＩＣタグ１０と、識別データが頁情報と一致しなかったＩＣタグ１０とにエンボス処理を施して発行する。
【００９１】
これにより、発行されたＩＣタグ連続体１を切断して整列させた際に、識別データを正しく書き込むことができなかったＩＣタグ１０を簡単に選別することができ、再発行情報に基づいて発行されたＩＣタグ１０と差し替えることができる。
【００９２】
なお、本実施の形態では、ＩＣタグ１０が１０列＊２行で１頁を構成するようにしたが、１頁を構成する列数及び行数は任意である。そして、１頁を構成するＩＣタグ１０の列数やサイズに応じて、第１アンテナ部３１における列アンテナ部３１ａ〜３１ｊと、第２アンテナ部３２における列アンテナ部３２ａ〜３２ｊとの数やレイアウトが適宜設定される。
【００９３】
以上説明したように、本実施の形態によれば、ＩＣタグ連続体１として整列している複数列のＩＣタグ１０に対して列毎にそれぞれ対向して配置された複数の列アンテナ部３１ａ〜３１ｊを備え、複数の列アンテナ部３１ａ〜３１ｊを用いてＩＣタグ連続体１のそれぞれのＩＣタグ１０とそれぞれ電磁誘導方式で通信を行うＩＣタグ発行装置であって、複数の列アンテナ部３１ａ〜３１ｊは、列方向又はＩＣタグ連続体１の搬送方向に沿う方向に配置され、それぞれの列アンテナ部３１ａ〜３１ｊは、ＩＣタグ連続体１のＩＣタグ１０と対向する面以外が（シールド板３１０及びアンテナケース３１６によって）電磁的にシールドされている。なお、本実施の形態では、複数の列アンテナ部３１ａ〜３１ｊは、列方向に配設された列アンテナ部３１ａ〜３１ｅと、列方向に配設された列アンテナ部３１ｆ〜３１ｊとが、ＩＣタグ連続体１の搬送方向に沿う方向に、上流側と下流側と分かれて千鳥状に配置されている。
この構成により、複数の列アンテナ部３１ａ〜３１ｊを用いた通信を同時に行っても、互いの通信の干渉を防止することができるため、複数列のＩＣタグ１０との通信処理を高速に行い、発行速度を向上させることができる。
【００９４】
さらに、本実施の形態によれば、上流側もしくは下流側で隣り合う列アンテナ部３１ａ〜３１ｊの間には、ＩＣタグ連続体１のＩＣタグ１０に近接対向して配置された導電性材料からなるシールド板３１０によって、干渉防止領域が形成されている。
この構成により、上流もしくは下流側で隣り合う列アンテナ部３１ａ〜３１ｊを用いた通信を同時に行っても、干渉を効率良く防止することができる。
【００９５】
さらに、本実施の形態によれば、列アンテナ部３１ａ〜３１ｊのループ状アンテナ素子３１３をプリント基板３１２の上面（ＩＣタグ１０との対向面とは反対面）側から覆うフェライトシート３１５がシールド（アンテナケース３１６）内に設けられている。
この構成により、プリント基板３１２からの放射を抑制させることができる。
【００９６】
さらに、本実施の形態によれば、上流側と下流側とで斜め方向に隣り合う列アンテナ部３１ａ〜３１ｊの間では、周波数が異なるチャンネルを用いて通信が行われる。
この構成により、上流側の列アンテナ部３１ａ〜３１ｅと下流側の列アンテナ部３１ｆ〜３１ｊとを用いた通信を同時に行っても、干渉を効率良く防止することができる。
【００９７】
さらに、本実施の形態によれば、ＩＣタグ連続体１を搬送ベルト６２ｃに吸引しながら搬送する第１搬送部６２を備え、複数の列アンテナ部３１ａ〜３１ｊは、第１搬送部６２よって搬送されるＩＣタグ連続体１のＩＣタグ１０と対向して配置されている。
この構成により、ＩＣタグ連続体１のＩＣタグ１０が列アンテナ部３１ａ〜３１ｊと確実に正対した状態で通信を行うことができ、通信精度を向上させることができる。
【００９８】
さらに、本実施の形態によれば、第１搬送部６２の搬送ベルト６２ｃは、ウレタンベルトで構成され、搬送ベルト６２ｃを支持する支持板６２ｅは、ＰＯＭ（ポリアセタール樹脂）プレートで構成されている。
この構成により、搬送ベルト６２ｃ及び支持板６２ｅを低誘電率で構成することができ、列アンテナ部３１ａ〜３１ｊを用いた通信を良好に行うことができる。また、搬送ベルト６２ｃ及び支持板６２ｅを耐摩擦性に優れ（摩擦係数の低い素材）、帯電しづらい材料で構成することができる。
【００９９】
さらに、本実施の形態によれば、列アンテナ部３１ａ〜３１ｊのＩＣタグ１０との対向面には、非粘着コーティングシート３１８が貼り付けられている。
この構成により、ＩＣタグ連続体１が台紙に仮着されたラベル連続体である場合に、列アンテナ部３１ａ〜３１ｊ（シールド板３１０）へのラベルの貼着を防止することができる。
【０１００】
以上、本発明を具体的な実施形態で説明したが、上記実施形態は一例であって、本発明の趣旨を逸脱しない範囲で変更して実施できることは言うまでも無い。
【符号の説明】
【０１０１】
１  ＩＣタグ連続体
２  載置台
３  前処理装置
４  印字装置
５  後処理装置
１０  ＩＣタグ
１１  スプロケットホール
１２  検出マーク
１３  インレイ
１３ａ  基材
１４  アンテナ
１４ａ  ループ状アンテナ素子
１４ｂ  ダイポールアンテナ素子
１４ｃ  メアンダラインアンテナ素子
１５  ＩＣチップ
２１  載置板
３１  第１アンテナ部
３１ａ〜３１ｊ  列アンテナ部
３２  第２アンテナ部
３２ａ〜３２ｊ  列アンテナ部
３３  第３アンテナ部
４１  印字部
４２  光定着部
４３  フィルター部
５１  第４アンテナ部
５２  エンボス処理部
５３  カッター部材
６１  第１トラクタフィーダ部
６１ａ  駆動ローラ
６１ｂ  従動ローラ
６１ｃ  無端ベルト
６１ｄ  第１トラクタフィーダ駆動モータ
６１ｅ  送りピン
６２  第１搬送部
６２ａ  駆動ローラ
６２ｂ  従動ローラ
６２ｃ  搬送ベルト
６２ｄ  第１搬送ベルト駆動モータ
６２ｅ  支持板
６２ｆ  貫通孔
６３  第２搬送部
６３ａ  駆動ローラ
６３ｂ  従動ローラ
６３ｃ  搬送ベルト
６３ｄ  第２搬送ベルト駆動モータ
６３ｅ  支持板
６３ｆ  貫通孔
６４  第２トラクタフィーダ部
６４ａ  駆動ローラ
６４ｂ  従動ローラ
６４ｃ  無端ベルト
６４ｄ  第２トラクタフィーダ駆動モータ
６４ｅ  送りピン
６５  第３搬送部
６５ａ  駆動ローラ
６５ｂ  従動ローラ
６５ｃ  搬送ベルト
６５ｄ  第３搬送ベルト駆動モータ
６５ｅ  支持板
６６  排出ローラ
６７  第４搬送部
６７ａ  駆動ローラ
６７ｂ  従動ローラ
６７ｃ  搬送ベルト
６７ｄ  第４搬送ベルト駆動モータ
６７ｅ  支持板
７１  第１負圧吸引部
７１ａ  第１吸引ファン
７１ｂ  吸引孔
７２  第２負圧吸引部
７２ａ  第２吸引ファン
７２ｂ  吸引孔
７３  第３負圧吸引部
７３ａ  第３吸引ファン
７３ｂ  吸引孔
７４  第４負圧吸引部
７４ａ  第４吸引ファン
７４ｂ  吸引孔
７５  第５負圧吸引部
７５ａ  第５吸引ファン
７６  第６負圧吸引部
７６ａ  第６吸引ファン
７７  第７負圧吸引部
７７ａ  第７吸引ファン
８１  第１センサ
８２  第２センサ
８３  第３センサ
８４  第４センサ
８５  第５センサ
８６  第６センサ
８７  第７センサ
９１  第１ロータリエンコーダ部
９２  第２ロータリエンコーダ部
９３  頁番号読取部
１０１  搬送制御部
１０２  書込制御部
１０３  印字制御部
１１０  情報記憶部
１１１  製品情報記憶部
１１２  頁情報記憶部
１１３  再発行情報記憶部
１２１  タグＩＤ読取部
１２２  第１識別データ書込部
１２３  第２識別データ書込部
１２４  識別データ読取部
３１０  シールド板
３１１ａ〜３１１ｊ  開口部
３１２  プリント基板
３１３  ループ状アンテナ素子
３１４  アンテナ端子
３１５  フェライトシート
３１６  アンテナケース
３１６ａ  端子用開口
３１７  ねじ
３１８  非粘着コーティングシート
【図１】
2018136955.tif 000003
【図２】
2018136955.tif 000004
【図３】
2018136955.tif 000005
【図４】
2018136955.tif 000006
【図５】
2018136955.tif 000007
【図６】
2018136955.tif 000008
【図７】
2018136955.tif 000009
【図８】
2018136955.tif 000010
【図９】
2018136955.tif 000011
【図１０】
2018136955.tif 000012
【図１１】
2018136955.tif 000013
【図１２】
2018136955.tif 000014
【図１３】
2018136955.tif 000015
【図１４】
2018136955.tif 000016
【図１５】
2018136955.tif 000017
【図１６】
2018136955.tif 000018
【図１７】
2018136955.tif 000019
【図１８】
2018136955.tif 000020
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
搬送方向に直交する向きに配列された複数のＩＣタグのそれぞれと電磁誘導方式で通信を行う複数のアンテナ部を有するＩＣタグ発行装置であって、
前記アンテナ部は、前記ＩＣタグに近接対応して配置されたシールド板の開口部にアンテナ素子の形成されたプリント基板が嵌まり込むように固定され、
隣り合う前記アンテナ部は、互いに電磁的にシールドされることを特徴とするＩＣタグ発行装置。
【請求項２】
隣り合う前記アンテナ部は、前記配列された複数のＩＣタグに対応するように前記搬送方向の上流側と下流側とで交互にずらして配列されることを特徴とする請求項１に記載のＩＣタグ発行装置。
【請求項３】
前記プリント基板は、前記上流側のアンテナ部のアンテナ端子と、前記下流側のアンテナ部のアンテナ端子とが互いに離間するように、前記シールド板の開口部に固定されることを特徴とする請求項２に記載のＩＣタグ発行装置。
【請求項４】
前記アンテナ端子は、前記シールド板の開口部に固定されたプリント基板を覆うアンテナケースを貫通するように、前記プリント基板の前記アンテナ素子が形成された面とは反対の面に立設されることを特徴とする請求項３に記載のＩＣタグ発行装置。
【請求項５】
前記プリント基板は、前記アンテナケースとの間に介在するフェライトシートにより覆われることを特徴とする請求項４に記載のＩＣタグ発行装置。
【請求項６】
前記上流側のアンテナ部と前記下流側のアンテナ部とは、それぞれ対応するＩＣタグと同時に通信を行うことを特徴とする請求項２に記載のＩＣタグ発行装置。
【請求項７】
前記上流側のアンテナ部と前記下流側のアンテナ部とは、それぞれ対応するＩＣタグと異なる周波数で通信を行うことを特徴とする請求項６に記載のＩＣタグ発行装置。
【請求項８】
前記複数のＩＣタグを搬送ベルトに吸引しながら搬送する搬送部を備え、
前記搬送ベルトは、ウレタンベルトで構成され、前記搬送ベルトを支持する支持板は、ＰＯＭ（ポリアセタール樹脂）プレートで構成されていることを特徴とする請求項１乃至７のいずれか一項に記載のＩＣタグ発行装置。
【請求項９】
前記シールド板は、前記開口部の前記複数のＩＣタグとの対向面を覆う非粘着コーティングシートが貼り付けられていることを特徴とする請求項１乃至８のいずれか一項に記載のＩＣタグ発行装置。
【請求項１０】
搬送方向に直交する向きに配列された複数のＩＣタグに近接対応して配置され、前記ＩＣタグとそれぞれ電磁誘導方式で通信を行う複数のアンテナ部を備えるシールド板であって、
前記アンテナ部は、所定間隔に設けられた開口部にアンテナ素子の形成されたプリント基板が嵌まり込むように固定され、
隣り合う前記アンテナ部は、互いに電磁的にシールドされることを特徴とするシールド板。
【手続補正２】
【補正対象書類名】明細書
【補正対象項目名】０００７
【補正方法】変更
【補正の内容】
【０００７】
本発明は、以下のような解決手段により、前記課題を解決する。
本発明のある態様は、搬送方向に直交する向きに配列された複数のＩＣタグのそれぞれと電磁誘導方式で通信を行う複数のアンテナ部を有するＩＣタグ発行装置であって、前記アンテナ部は、前記ＩＣタグに近接対応して配置されたシールド板の開口部にアンテナ素子の形成されたプリント基板が嵌まり込むように固定され、隣り合う前記アンテナ部は、互いに電磁的にシールドされることを特徴とする。
また本発明のある態様は、搬送方向に直交する向きに配列された複数のＩＣタグに近接対応して配置され、前記ＩＣタグとそれぞれ電磁誘導方式で通信を行う複数のアンテナ部を備えるシールド板であって、前記アンテナ部は、所定間隔に設けられた開口部にアンテナ素子の形成されたプリント基板が嵌まり込むように固定され、隣り合う前記アンテナ部は、互いに電磁的にシールドされることを特徴とする。